(57)【要約】【課題】線量分割パターン及び実行パターンを含む照射分割パターンを適切に設定することができる治療計画システムを得ることを目的とする。【解決手段】放射線の総照射線量ｄａ１３を分割照射する照射回数ｄａ１４と、分割された線量を照射する照射間隔区分を含むパターンである実行パターンｄａ１５とを含む照射分割パターンｄａ１６を、患部の部位を分類する治療部位ｄａ１２及び総照射線量ｄａ１３に対応させて管理する照射分割パターン管理装置２と、患部に照射する総照射線量ｄａ１３及び患部の治療部位ｄａ１２に基づいて、照射分割パターン管理装置２に管理された照射分割パターンｄａ１６を取得し、患部に対する照射条件に照射分割パターンｄａ１６を設定した治療計画ｄａｔａ４を作成する照射分割パターン設定装置１と、を備えた。【選択図】図２
2012187298.tif 000002
【特許請求の範囲】
【請求項１】
放射線を患部に照射する治療計画を作成する治療計画システムであって、
前記放射線の総照射線量を分割照射する照射回数と、分割された線量を照射する照射間隔区分を含むパターンである実行パターンとを含む照射分割パターンを、前記患部の部位を分類する治療部位及び前記総照射線量に対応させて管理する照射分割パターン管理装置と、
前記患部に照射する前記総照射線量及び前記患部の前記治療部位に基づいて、前記照射分割パターン管理装置に管理された前記照射分割パターンを取得し、前記患部に対する照射条件に前記照射分割パターンを設定した前記治療計画を作成する照射分割パターン設定装置と、を備えたことを特徴とする治療計画システム。
【請求項２】
前記照射分割パターン管理装置は、前記照射分割パターンを管理する照射分割パターン管理テーブルを有し、
前記照射分割パターン設定装置は、前記照射分割パターン管理テーブルから前記照射分割パターンを検索する検索キーである前記治療部位及び前記総照射線量を、前記照射分割パターン管理装置に送信し、前記照射分割パターンを取得する照射計画設定部を有することを特徴とする請求項１記載の治療計画システム。
【請求項３】
前記照射分割パターン設定装置は、前記照射条件に関連付けされた前記治療部位及び前記総照射線量を取得する計画情報設定部を有し、
前記照射計画設定部は、前記計画情報設定部により取得された前記治療部位及び前記総照射線量を前記照射分割パターン管理装置に送信することを特徴とする請求項２記載の治療計画システム。
【請求項４】
前記計画情報設定部は、前記照射条件を作成する際に参照する輪郭情報及びＣＴ画像から前記治療部位を特定する治療部位特定部を有することを特徴とする請求項３記載の治療計画システム。
【請求項５】
前記照射分割パターン設定装置は、前記照射分割パターン管理装置から取得した前記照射分割パターンを変更する照射分割パターン変更部を有することを特徴とする請求項１乃至４のいずれか１項に記載の治療計画システム。
【請求項６】
前記照射分割パターン設定装置は、前記照射分割パターン変更部により変更された前記照射分割パターンを前記照射分割パターン管理装置に登録する照射分割パターン出力部を有することを特徴とする請求項５記載の治療計画システム。
【請求項７】
前記照射分割パターン管理テーブルは、前記照射分割パターンのデフォルトか否かを示すデフォルト欄を有し、
前記照射分割パターン管理装置は、前記照射分割パターン変更部により変更された前記照射分割パターンを前記照射分割パターン管理テーブルに登録する際に、前記デフォルト欄に非デフォルトを追加することを特徴とする請求項５または６に記載の治療計画システム。
【請求項８】
前記照射分割パターン管理装置は、インターネット経由で利用可能な臨床結果を解析し、前記治療部位、前記総照射線量及び前記照射回数を前記臨床結果から抽出し、前記照射分割パターン管理テーブルに登録するデータである前記治療部位、前記総照射線量、前記照射回数及び前記実行パターンを生成する解析生成処理部と、
前記解析生成処理部により生成された前記治療部位、前記総照射線量、前記照射回数及び前記実行パターンを前記照射分割パターン管理テーブルに登録する表示登録処理部と、を
有することを特徴とする請求項２乃至７のいずれか１項に記載の治療計画システム。
【請求項９】
前記照射分割パターン管理装置は、データ管理装置に登録された治療の実施記録から、前記治療部位、前記総照射線量、及び前記照射分割パターンを前記実施記録から抽出する抽出生成処理部を有し、
前記抽出生成処理部により抽出された前記治療部位、前記総照射線量、及び前記照射分割パターンを前記照射分割パターン管理テーブルに登録する表示登録処理部と、を有することを特徴とする請求項２乃至８のいずれか１項に記載の治療計画システム。
【請求項１０】
前記照射分割パターン設定装置は、前記照射条件に前記照射分割パターンを設定した前記治療計画をデータ管理装置に登録する治療計画出力部を有することを特徴とする請求項１乃至９のいずれか１項に記載の治療計画システム。
【請求項１１】
患部に照射する放射線の総照射線量を分割照射する照射回数と、分割された線量を照射する照射間隔区分を含むパターンである実行パターンとを含む照射分割パターンを、前記患部の部位を分類する治療部位及び前記総照射線量に対応させて管理する照射分割パターン管理装置であって、
前記照射分割パターン管理装置は、請求項１乃至１０のいずれか１項に記載の治療計画システムの照射分割パターン管理装置であることを特徴とする照射分割パターン管理装置。
【請求項１２】
患部に照射する放射線の総照射線量を分割照射する照射回数と、分割された線量を照射する照射間隔区分を含むパターンである実行パターンとを含む照射分割パターンを、前記患部に対する照射条件に設定した治療計画を作成する照射分割パターン設定装置であって、
前記照射分割パターン設定装置は、請求項１乃至１０のいずれか１項に記載の治療計画システムの照射分割パターン設定装置であることを特徴とする照射分割パターン設定装置。
【発明の詳細な説明】
【技術分野】
【０００１】
本発明は、放射線や荷電粒子線（以下、荷電粒子線も含めて放射線と呼ぶ）を、癌等の患部に照射し治療を行う医療装置（放射線治療装置や粒子線治療装置等）において用いられる治療計画システムに関する。
【背景技術】
【０００２】
放射線治療装置や粒子線治療装置は、癌等の患部に高照射線量を選択的に照射することにより、治療患部の組織を破壊すると共に、治療患部の周りの正常組織に対する損傷を最小限にすることが求められる。以下、粒子線治療装置を含めて放射線治療装置と呼び、特に粒子線治療装置を区別する場合は、粒子線治療装置と呼ぶことにする。治療計画システムは、放射線治療に先立ち、治療患部の組織を破壊すると共に、治療患部の周りの正常組織に対する損傷を最小限にするために、適切な照射条件を決定する。
【０００３】
従来の放射線治療計画装置は、患部に照射する１回当たりの放射線の線量、１日当たりの放射線治療の回数（分割回数）、および、放射線治療を行う日数等である、いわゆる、線量分割方式を容易に決定するために、線量分割テーブルを適用していた（例えば、特許文献１）。特許文献１の放射線治療計画装置は、放射線の線量分割パターンを照射総線量ごとに分類し格納する線量分割テーブルと、作業者によって入力される放射線の総線量に基づいて、前記線量分割テーブルから前記総線量に該当する線量分割パターンを検索する検索手段と、該検索手段が検索した線量分割パターンの未知数部分を計算し、入力された総線量に該当する線量分割パターンを生成する線量分割パターン生成手段とを具備していた。
【先行技術文献】
【特許文献】
【０００４】
【特許文献１】特開平１０−１５０８８号公報（００１５段〜００２１段、図１、図２）
【発明の概要】
【発明が解決しようとする課題】
【０００５】
特許文献１の放射線治療計画装置は、決定した総線量を何分割で照射するか、すなわち線量分割パターンを決定するのみであり、毎日照射するのか１日置きに照射するか等の実行パターンを決定することはなかった。例えば、総線量３０Ｇｒａｙを３分割すると指定した場合、１０Ｇｒａｙ×３回と決定することはできるが、１０Ｇｒａｙを毎日照射するのか１日置きに照射するか等は決定することはなかった。すなわち、特許文献１の放射線治療計画装置は、線量分割パターンで規定した条件での各照射を、どのような照射間隔区分（毎日、１日置き等）で照射するか、すなわち照射の実行パターンを含む照射分割パターンを決定していなかった。
【０００６】
放射線治療計画において、総線量の分割回数の決定、すなわち線量分割パターンの決定ばかりでなく、分割された１回線量を毎日照射するのか１日置きに照射するか等の実行パターンを決定することも必要である。一般的に、健康な人体組織は、照射された放射線によって生じる損傷から回復する能力がある。しかし、患者の状態によっては、損傷から回復するのに、通常より長い期間が必要な場合もある。また、化学療法等の他の治療方法を併用している患者は、他の治療方法による患者の人体状況や治療実施時間等の状況により、毎日照射することが困難な場合もある。放射線治療計画において、線量分割パターン及び実行パターンを適切に決定することが求められていた。
【０００７】
また、実際に治療を行う放射線治療装置は、治療計画システムから医療業界標準規格であるＤＩＣＯＭ（Digital Imaging and COmmunicationsin Medicine）と呼ばれる形式で
治療計画を取得し、そこに設定されている線量分割パターンに従って照射(治療)を行うため、実際に照射を行う実行パターンを適切に設定するには、治療計画に実行パターンを設定するフェーズ(操作)が必要になる。このような実行パターンの設定作業を患者ごとに適切に行うためには、人為的なミスを防止し、適切に設定を行うことができる支援体制の構築が必要である。
【０００８】
本発明は、線量分割パターン及び実行パターンを含む照射分割パターンを適切に設定することができる治療計画システムを得ることを目的とする。
【課題を解決するための手段】
【０００９】
放射線の総照射線量を分割照射する照射回数と、分割された線量を照射する照射間隔区分を含むパターンである実行パターンとを含む照射分割パターンを、患部の部位を分類する治療部位及び総照射線量に対応させて管理する照射分割パターン管理装置と、患部に照射する総照射線量及び患部の治療部位に基づいて、照射分割パターン管理装置に管理された照射分割パターンを取得し、患部に対する照射条件に照射分割パターンを設定した治療計画を作成する照射分割パターン設定装置と、を備えた。
【発明の効果】
【００１０】
本発明に係る治療計画システムは、患部に対する照射条件に、照射回数及び照射間隔区分を含むパターンである実行パターンを含む照射分割パターンを設定した治療計画を作成するので、照射回数である線量分割パターン及び実行パターンを含む照射分割パターンを治療計画に適切に設定することができる。
【図面の簡単な説明】
【００１１】
【図１】本発明の実施の形態１による治療計画システムの構成図である。
【図２】本発明の実施の形態１による治療計画システムの動作を説明する図である。
【図３】本発明の実施の形態１による照射分割パターン管理テーブルを示す図である。
【図４】本発明の実施の形態２による治療計画システムの動作を説明する図である。
【図５】本発明の実施の形態３による照射分割パターン設定の画面例を示す図である。
【図６】本発明の実施の形態３による治療計画システムの動作を説明する図である。
【図７】本発明の実施の形態４による照射分割パターン管理テーブルを示す図である。
【図８】本発明の実施の形態４による照射分割パターン管理装置の動作を説明する図である。
【図９】本発明の実施の形態５による照射分割パターン管理装置の動作を説明する図である。
【図１０】本発明の実施の形態６による照射分割パターン管理装置の動作を説明する図である。
【発明を実施するための形態】
【００１２】
実施の形態１．
図１は、本発明の実施の形態１による治療計画システムの構成図である。治療計画システム６０は、照射分割パターン設定装置１と、照射分割パターン管理装置２と、治療計画装置３と、輪郭作成装置４と、データ管理装置５とを有する。照射分割パターン設定装置
１、照射分割パターン管理装置２、治療計画装置３、輪郭作成装置４、データ管理装置５のそれぞれは、相互にネットワーク６により接続されている。
【００１３】
照射分割パターン設定装置１は、治療計画装置３が作成した治療計画に対して、照射分割パターンを設定し、データ管理装置５に登録する。照射分割パターン管理装置２は、治療部位、患部に放射線を照射する総放射線量である照射線量に対応する照射分割パターンを管理し、照射分割パターン設定装置１からの要求に対して、照射分割パターンを応答する装置である。治療計画装置３は、データ管理装置５から取得したＣＴ画像及び輪郭作成装置４が作成した輪郭情報に基づいて、治療計画を作成する装置であり、治療計画に対して、治療部位及び照射線量を設定する。輪郭作成装置４は、データ管理装置５から取得したＣＴ画像に対して、体輪郭、患部、重要臓器などの輪郭情報を作成する装置である。データ管理装置５は、ＣＴ画像、輪郭情報、治療計画、線量データや治療実施後の治療実施記録などのデータを管理する装置である。
【００１４】
次に動作について説明する。図２は、本発明の実施の形態１による治療計画システムの動作を説明する図である。図２には、照射分割パターン設定装置１、照射分割パターン管理装置２、治療計画装置３、データ管理装置５における内部の構成と各装置間のデータを記載した。治療計画装置３は、治療計画作成部１０１と治療計画送信部１０２を有する。治療計画作成部１０１は、データ管理装置５から取得したＣＴ画像ならびに輪郭情報から最適な治療を行うための照射条件を決定し、治療計画を作成する。このとき、治療部位ならびに照射線量を治療計画に設定する。ここでの治療計画は照射分割パターンを含まない治療計画であり、仮治療計画と呼ぶことにする。作成した仮治療計画ｄａｔａ１は、治療計画送信部１０２により、照射分割パターン設定装置１に送信される。
【００１５】
照射分割パターン設定装置１は、計画情報設定部１２１と、照射計画設定部１２２と、治療計画出力部１０７を有する。計画情報設定部１２１は、治療部位取得部１０３と照射線量取得部１０４を有し、計画情報設定処理を行う。照射計画設定部１２２は、照射分割パターン取得要求部１０５と照射分割パターン設定部１０６を有し、照射計画設定処理を行う。照射分割パターン管理装置２は、パターン検索部１１１とパターン送信部１１２を有する。データ管理装置５は、治療計画登録部１０８を有する。
【００１６】
照射分割パターン設定装置１は、仮治療計画ｄａｔａ１を受信する。まず、照射分割パターン設定装置１は、計画情報設定処理を行う。計画情報設定部１２１は、仮治療計画ｄａｔａ１に設定された治療部位及び照射線量を取得する。治療部位取得部１０３は、治療部位を取得し、照射線量取得部１０４は照射線量を取得する。次に、照射分割パターン設定装置１は、照射計画設定処理を行う。照射計画設定部１２２は、照射分割パターン管理装置２に照射分割パターン取得要求を行う。照射分割パターン取得要求部１０５は、治療部位及び照査線量のデータ、すなわち検索キーデータｄａｔａ２を照射分割パターン管理装置２に送信する。
【００１７】
照射分割パターン管理装置２は、検索キーデータｄａｔａ２を照射分割パターン設定装置１から受信する。パターン検索部１１１は、受信した検索キーデータｄａｔａ２の治療部位及び照射線量をキーにして、照射分割パターンを管理するテーブルである照射分割パターン管理テーブル２０（図３）から対応する照射分割パターンを検索する。パターン送信部１１２は、パターン検索部１１１により検索された結果である照射分割パターンの結果データｄａｔａ３を照射分割パターン設定装置１に送信する。結果データｄａｔａ３には、照射回数及び実行パターンが含まれる。
【００１８】
ここで、照射分割パターン管理テーブル２０について説明する。図３は、本発明の実施の形態１による照射分割パターン管理テーブルを示す図である。照射分割パターン管理テ
ーブル２０は、番号欄１８、線種欄１１、治療部位欄１２、照射線量欄１３、照射分割パターン欄１６を有している。照射分割パターン欄１６は、照射回数欄１４と実行パターン欄１５を有している。照射分割パターン管理テーブル２０では、番号欄１８の番号ｄａ１８ごとに、線種欄１１、治療部位欄１２、照射線量欄１３、照射分割パターン欄１６に登録されたデータが、関連付けされて管理されている。各欄のデータは、それぞれの欄に付した符号の前にｄａを付して表記することにする。
【００１９】
線種欄１１には、陽子線や炭素線等の線種ｄａ１１が登録される。治療部位欄１２には、頭頚部や肝臓等の治療部位ｄａ１２が登録される。照射線量欄１３には、治療に必要な照射線量ｄａ１３が登録される。照射分割パターン欄１６には、照射分割パターンｄａ１６が登録される。照射分割パターンｄａ１６は、照射回数欄１４と実行パターン欄１５に登録せれた照射回数ｄａ１４及び実行パターンｄａ１５である。照射回数ｄａ１４は、照射する総照射線量を分割した分割回数である。実行パターンｄａ１５は、分割された１回線量を毎日照射するのか１日置きに照射するか等の照射間隔区分を含んだパターンである。例えば、実行パターンｄａ１５は、一目で分かるように１週間の照射日に対応させてもよい。番号ｄａ１８が１０１０１０１である場合は、７ケタある記号は月曜日〜日曜日に対応し、記号１は照射日、記号０は照射をしない日としてもよい。また、単に記号の組み合わせを表示し、該当する記号表示に対応する実行日表等と関連付けされたものでもよい。
【００２０】
照射分割パターン設定装置１は、照射分割パターンの結果データｄａｔａ３を受信する。照射分割パターン設定部１０６は、照射分割パターンｄａ１６、すなわち照射回数ｄａ１４及び実行パターンｄａ１５を治療計画に設定する。照射分割パターン設定装置１は、照射計画設定処理の後に、治療計画出力処理を行う。治療計画出力部１０７は、照射分割パターンｄａ１６が設置された治療計画である本治療計画ｄａｔａ４をデータ管理装置５に出力する。治療計画登録部１０８は、本治療計画ｄａｔａ４を受信し、本治療計画ｄａｔａ４の登録を行う。
【００２１】
実施の形態１の治療計画システム６０は、照射分割パターン管理装置２に登録された照射分割パターンを治療部位ｄａ１２及び照射線量ｄａ１３に基づいて検索し、取得した照射分割パターンｄａ１６を仮治療計画ｄａｔａ１に追加して本治療計画ｄａｔａ４を設定するので、線量分割パターンと実行パターンを含む照射分割パターンとを治療計画に適切に設定することができる。
【００２２】
照射分割パターンｄａ１６は、治療部位ｄａ１２及び照射線量ｄａ１３により、ほぼ決定するものであり、治療計画装置３で決定した総線量を何回に分けて、どのようなパターンで照射するか(例えば、毎日照射するのか、あるいは、１日置きに照射するのか)を意味するものである。この設定した照射分割パターンｄａ１６に従い、放射線治療装置にて治療を進める。このため、照射分割パターンを間違えると、患者の人体状況や治療実施時間等の状況による適切な治療ができない。
【００２３】
したがって、患者の人体状況や治療実施時間等の状況による適切な治療を行うためには、照射分割パターンｄａ１６を構成する照射回数ｄａ１４及び実行パターンｄａ１５を、治療実績や研究実績のある照射分割パターンｄａ１６から選択できるにすることが重要である。照射分割パターンｄａ１６を選択できるようにする、すなわち照射分割パターンｄａ１６の設定を容易にすることで、人為的なミスを防止し、適切に設定を行うことができる。人為的なミスを防止し、適切に設定を行うことができる治療計画システム６０は、放射線治療の治療効果を向上させ、人為的なミスを防止し、治療信頼性を向上させることができる。このように実施の形態１の治療計画システム６０は、従来とは異なり、治療計画に実行パターンｄａ１５を追加することができるので、実行パターンｄａ１５を含んだ適切な治療計画の設定を行うことができる。
【００２４】
また、従来の治療計画の設定においては、決定した総線量を何分割で照射するか、すなわち線量分割パターンを決定するのみだったので、患者の人体状況や治療実施時間等の状況による適切な治療計画を設定する場合、治療部位及び照射線量に対応する照射分割パターン（照射回数、実行パターン）を調べてから、治療計画に設定することになってしまう。照射分割パターンを治療実施記録等から調べて治療計画に設定すると、多大な時間を要してしまう。この調査作業を行うことなく、照射分割パターン管理装置２に登録された照射分割パターンｄａ１６から選択できるようにする、すなわち照射分割パターンｄａ１６の設定を容易にすることで、作業の効率化にも貢献する。
【００２５】
以上のように、実施の形態１の治療計画システム６０によれば、放射線の総照射線量ｄａ１３を分割照射する照射回数ｄａ１４と、分割された線量を照射する照射間隔区分を含むパターンである実行パターンｄａ１５とを含む照射分割パターンｄａ１６を、患部の部位を分類する治療部位ｄａ１２及び総照射線量ｄａ１３に対応させて管理する照射分割パターン管理装置２と、患部に照射する総照射線量ｄａ１３及び患部の治療部位ｄａ１２に基づいて、照射分割パターン管理装置２に管理された照射分割パターンｄａ１６を取得し、患部に対する照射条件に照射分割パターンｄａ１６を設定した治療計画ｄａｔａ４を作成する照射分割パターン設定装置１と、を備えたので、照射分割パターン管理装置２に登録された照射分割パターンｄａ１６を治療部位ｄａ１２及び総照射線量（照射線量）ｄａ１３に基づいて検索し、取得した照射分割パターンｄａ１６を仮治療計画ｄａｔａ１に追加して本治療計画ｄａｔａ４を設定できる。線量分割パターン（照射回数ｄａ１４）と実行パターンｄａ１５とを含む照射分割パターンｄａ１６を治療計画に適切に設定することができる。
【００２６】
実施の形態２．
実施の形態１では、照射分割パターン設定装置１に送信される仮治療計画ｄａｔａ１に治療部位が含まれる場合に、照射分割パターン設定装置１にて照射分割パターンを設定する方法について説明した。しかし、治療計画装置３では、必ずしも治療部位を入力しなくてもよい。実施の形態２では、照射分割パターン設定装置１に送信される仮治療計画ｄａｔａ１に治療部位が含まれない場合の照射分割パターンを設定する方法について説明する。
【００２７】
実施の形態２の治療計画システム６０（６０ｂ）では、治療計画装置３から受信した治療計画の作成に使用したＣＴ画像及び輪郭情報を参照することで、照射分割パターン設定装置１（１ｂ）にて、治療部位を特定する。特定した治療部位及び治療計画装置３から受信した仮治療計画ｄａｔａ１１の照射線量に基づいて、照射分割パターン管理装置２から照射分割パターンすなわち、照射回数及び実行パターンを取得し、治療計画に設定する。これにより、仮治療計画において治療部位の未入力あるいは入力間違いを想定したチェック等の対応を、治療計画装置３や照射分割パターン設定装置１において実行しなくても、正しい照射分割パターンすなわち、照射回数及び実行パターン、照射回数を設定することを可能とする。
【００２８】
図４は、本発明の実施の形態２による治療計画システムの動作を説明する図である。実施の形態１との違いは、照射分割パターン設定装置１における治療部位の特定方法である。実施の形態２の治療計画システム６０（６０ｂ）は、実施の形態１の治療計画システム６０（６０ａ）とは、計画情報設定部１２１（１２１ｂ）において治療部位処理部１３０を有する照射分割パターン設定装置１（１ｂ）と、照射分割パターン設定装置１（１ｂ）からの検索要求に従って検索結果を照射分割パターン設定装置１（１ｂ）に送信するデータ管理装置５（５ｂ）とを備える点で異なる。
【００２９】
治療部位処理部１３０は、情報特定部１３１と、情報取得要求部１３２と、治療部位特定部１３３とを有する。データ管理装置５（５ｂ）は、治療計画登録部１０８と、情報検索部１０９と、情報送信部１１０とを有する。
【００３０】
治療計画作成部１０１は、データ管理装置５（５ｂ）から取得したＣＴ画像ならびに輪郭情報から最適な治療を行うための照射条件を決定し、仮治療計画を作成する。このとき、照射線量を治療計画に設定する。照射分割パターン設定装置１（１ｂ）用の治療部位の情報が含まれない仮治療計画ｄａｔａ１１は、治療計画送信部１０２により、照射分割パターン設定装置１に送信される。
【００３１】
照射分割パターン設定装置１（１ｂ）は、治療計画装置３から受信した仮治療計画ｄａｔａ１１の作成に使用した輪郭情報ならびにＣＴ画像を特定し、データ管理装置５（５ｂ）から取得する。輪郭情報は、輪郭作成装置４で輪郭を作成した際に、データ管理装置５（５ｂ）に登録されており、ＣＴ画像は、輪郭作成装置４で輪郭を作成するより前にデータ管理装置５（５ｂ）に登録されている。
【００３２】
輪郭情報ならびにＣＴ画像を特定する方法を以下に具体的に説明する。情報特定部１３１は、仮治療計画ｄａｔａ１１から、この仮治療計画ｄａｔａ１１の作成に使用した輪郭情報ならびにＣＴ画像を特定する。情報取得要求部１３２は、データ管理装置５（５ｂ）に、輪郭情報のＵＩＤ（Unique IDentfier）及びＣＴ画像のＵＩＤを含む検索キーデータｄａｔａ５を伴った情報取得要求を送信する。
【００３３】
データ管理装置５（５ｂ）は、照射分割パターン設定装置１（１ｂ）から情報取得要求及び検索キーデータｄａｔａ５を受信する。情報検索部１０９は、受信した検索キーデータｄａｔａ５の輪郭情報のＵＩＤ及びＣＴ画像のＵＩＤをキーにして、該当するＵＩＤに一致するＣＴ画像及び輪郭情報を検索する。情報送信部１１０は、情報検索部１０９により検索された結果であるＣＴ画像及び輪郭情報の結果データｄａｔａ６を照射分割パターン設定装置１（１ｂ）に送信する。なお、ＣＴ画像及び輪郭情報の結果データｄａｔａ６は、ＣＴ画像及び輪郭情報の全てを送る場合に限らず、ＣＴ画像及び輪郭情報に含まれる治療部位の情報のみであってよい。
【００３４】
照射分割パターン設定装置１（１ｂ）は、ＣＴ画像及び輪郭情報の結果データｄａｔａ６を受信する。治療部位特定部１３３は、受信した情報から治療部位を特定する。治療部位特定後、実施の形態１で説明した処理、すなわち、照射計画設定処理及び治療計画出力処理を行う。データ管理装置５（５ｂ）は、照射分割パターン設定装置１（１ｂ）が作成した本治療計画ｄａｔａ４をデータ管理装置５（５ｂ）に登録する。照射計画設定処理及び治療計画出力処理は、実施の形態１と同様であり、説明は繰り返さない。
【００３５】
実施の形態２の治療計画システム６０（６０ｂ）は、治療部位が含まれない仮治療計画ｄａｔａ１１に対応し、データ管理装置５（５ｂ）に登録されたＣＴ画像及び輪郭情報を参照することで、治療部位を特定することができる。治療計画システム６０（６０ｂ）は、特定した治療部位及び治療計画装置３から受信した仮治療計画ｄａｔａ１１の照射線量に基づいて、照射分割パターン管理装置２から照射分割パターンｄａ１６、すなわち、照射回数ｄａ１４及び実行パターンｄａ１５を取得し、線量分割パターンと実行パターンを含む照射分割パターンとを適切に設定することができる。これにより、仮治療計画において治療部位の未入力あるいは入力間違いを想定したチェック等の対応を、治療計画装置３や照射分割パターン設定装置１において実行しなくても、正しい照射分割パターンｄａ１６、すなわち、照射回数ｄａ１４及び実行パターンｄａ１５を設定することがきる。治療計画装置３や照射分割パターン設定装置１にて、仮治療計画における治療部位の未入力あるいは入力間違いを想定したチェック等をしないので、本治療計画を作成する工程を簡略化することができる。本治療計画を作成する工程が簡略化されることにより、本治療計画の作成時間の短縮化を図ることができる。
【００３６】
実施の形態３．
実施の形態１及び２では、照射分割パターン管理装置２で管理する照射分割パターン管理テーブル２０において、治療部位ｄａ１２及び照射線量ｄａ１３に対する照射分割パターンｄａ１６を変更しないことを前提とした例で説明した。すなわち、照射分割パターン設定装置１が照射分割パターン管理装置２から取得した実行パターンｄａ１５及び分割回数ｄａ１４を治療計画にそのまま設定する場合について述べた。しかし、研究などを目的に、実行パターンｄａ１５や照射回数ｄａ１４を変更したいケースも考えられるため、図５に示すような照射分割パターンｄａ１６を変更できる画面を具備することにより、ユーザの要求に柔軟に対応可能な照射分割パターン設定装置１（１ｃ）を得ることができる。以下に、実施の形態３の治療計画システム６０（６０ｃ）について説明する。
【００３７】
図５は本発明の実施の形態３による照射分割パターン設定の画面例を示す図であり、図６は本発明の実施の形態３による治療計画システムの動作を説明する図である。実施の形態２との違いは、照射分割パターン管理装置２から照射分割パターンｄａ１６を取得した後に、取得した情報を表示し、ユーザにて照射分割パターンｄａ１６の変更が可能である点である。実施の形態３の治療計画システム６０（６０ｃ）は、実施の形態２の治療計画システム６０（６０ｂ）とは、照射計画設定部１２２（１２２ｂ）において照射分割パターン表示処理部１３４及び照射分割パターン変更部１３５を有する照射分割パターン設定装置１（１ｃ）を備える点で異なり、照射計画設定処理の動作が異なる。
【００３８】
実施の形態３の照射計画設定処理について説明する。照射分割パターン管理装置２（２ａ）は、検索キーデータｄａｔａ２を照射分割パターン設定装置１から受信する。パターン検索部１１１は、受信した検索キーデータｄａｔａ２の治療部位ｄａ１２及び照射線量ｄａ１３をキーにして、照射分割パターンｄａ１６を管理するテーブルである照射分割パターン管理テーブル２０から対応する照射分割パターンｄａ１６を検索する。パターン送信部１１２は、パターン検索部１１１により検索された結果である照射分割パターンｄａ１６の結果データｄａｔａ３を照射分割パターン設定装置１に送信する。
【００３９】
照射分割パターン設定装置１（１ｃ）は、照射分割パターンｄａ１６の結果データｄａｔａ３を受信する。照射分割パターン表示処理部１３４は、照射分割パターン設定装置１（１ｃ）のモニターに照射分割パターンｄａ１６を表示する。照射分割パターンｄａ１６の表示例は図５のようになっている。図５は、照射分割パターンｄａ１６を表示し、表示された照射分割パターンｄａ１６を変更する操作部が配置された設定画面５０の例を示している。設定画面５０は、患者ＩＤ等の検査情報を表示する検査情報表示部２１と、照射分割パターンｄａ１６の表示及び変更を行う照射分割パターン設定部２２と、設定画面５０の内容を反映した治療計画をデータ管理装置５に登録する登録ボタン３１と、設定画面５０をモニターに表示しないように、いわゆる画面を閉じる操作を行う終了ボタン３２とを備える。
【００４０】
照射分割パターン設定部２２は、治療部位ｄａ１２を表示する治療部位表示部２３と、照射線量ｄａ１３を表示する照射線量表示部２４と、照射回数ｄａ１４の表示及び設定を行う照射回数設定部２５と、実行パターンｄａ１５の表示及び設定を行う実行パターン設定部２６と、１日当たりの分割数の表示及び設定を行う１日分割数設定部２７と、実行パターンｄａ１５の変更を行う週を設定する週設定部２８と、照射分割パターン設定部２２の内容を編集可能にする、すなわち編集モードにする編集ボタン２９と、照射分割パターン設定部２２において編集した内容を確定し、編集モードから表示モードにする確定ボタ
ン３０と、を備える。
【００４１】
治療計画システム６０（６０ｃ）のユーザは、設定画面５０に表示された照射分割パターンｄａ１６、すなわち、照射回数ｄａ１４及び実行パターンｄａ１５を確認する。照射分割パターンｄａ１６の変更が必要と判断した場合は、編集ボタン２９を押して編集モードに移行し、照射分割パターンｄａ１６の編集作業を行う。編集作業が終了した場合は、確定ボタン３０を押して内容を確定し、編集モードから表示モードに移行する。照射分割パターンｄａ１６の変更が終了した場合は、登録ボタン３１を押して、設定画面５０に表示された内容の治療計画をデータ管理装置５に登録する。照射分割パターンｄａ１６の変更は必要ないと判断した場合は、終了ボタン３２を押して登録することなく終了する。
【００４２】
実施の形態３の治療計画システム６０（６０ｃ）は、照射分割パターンｄａ１６を変更できる設定画面５０を具備したので、ユーザの要求に柔軟に対応可能な照射分割パターンｄａ１６を設定することができる。
【００４３】
実施の形態４．
実施の形態３では、照射分割パターン管理装置２から取得した照射分割パターンｄａ１６（照射回数ｄａ１４及び実行パターンｄａ１５）を任意に変更し、治療計画に設定する場合について述べた。実施の形態４では、この変更した照射分割パターンｄａ１６（照射回数ｄａ１４及び実行パターンｄａ１５）をユーザからの要求に従い、照射分割パターン管理装置２に登録することで、次回以降にも再利用できるようにする。変更した照射分割パターンｄａ１６の再利用によって、効率化を図ることができる。
【００４４】
図７は、本発明の実施の形態４による照射分割パターン管理テーブルを示す図である。実施の形態４の照射分割パターン管理テーブル４０は、実施の形態１乃至３にて用いた照射分割パターン管理テーブル２０とは、デフォルト欄１７を有する点で異なる。図８は、本発明の実施の形態４による照射分割パターン管理装置の動作を説明する図である。実施の形態４の治療計画システム６０（６０ｄ）は、実施の形態３の治療計画システム６０（６０ｃ）とは、照射分割パターン出力部１３６を有する照射分割パターン設定装置１（１ｄ）と、照射分割パターン出力登録部１３７を有する照射分割パターン管理装置２（２ｂ）を備える点で異なる。照射分割パターン設定装置１（１ｄ）は、照射計画設定部１２２により変更された照射分割パターンｄａ１６（照射回数ｄａ１４及び実行パターンｄａ１５）を、照射分割パターンｄａｔａ１２として照射分割パターン出力部１３６により照射分割パターン管理装置２（２ｂ）に出力する。照射分割パターン出力登録部１３７は、照射分割パターンｄａｔａ１２を受信し、照射分割パターンｄａｔａ１２の登録を行う。
【００４５】
実施の形態４の治療計画システム６０（６０ｄ）は、同一治療部位、同一照射線量に対して、照射回数ｄａ１４及び実行パターンｄａ１５の組合せを、照射分割パターン管理装置２（２ｂ）に複数登録することがきる。同一治療部位、同一照射線量に対する照射分割パターンｄａ１６のデフォルトの組合せを決定しておくことで、照射分割パターン管理装置２から照射分割パターンｄａ１６（照射回数ｄａ１４及び実行パターンｄａ１５）のリストを取得した際、設定画面５０の初期表示として、デフォルトの組合せを表示する。設定画面５０に、デフォルト以外の組み合わせがあることを表示する。例えば、設定画面５０に、組み合わせ番号表示設定部を設け、この番号表示設定部の数字を上下移動ボタンにより各組み合わせの表示を変更する。
【００４６】
実施の形態４の治療計画システム６０（６０ｄ）は、同一治療部位、同一照射線量に対して、照射回数ｄａ１４及び実行パターンｄａ１５の組合せを、照射分割パターン管理装置２（２ｂ）に複数登録することがきる。また、デフォルトの組合せを決定しておくことで、照射分割パターン設定装置１（１ｃ）は、照射分割パターン管理装置２（２ｂ）から
照照射分割パターンｄａ１６（照射回数ｄａ１４及び実行パターンｄａ１５）のリストを取得した際、設定画面５０の初期表示として、デフォルトの組合せを表示することができる。実施の形態４の治療計画システム６０（６０ｄ）は、同一治療部位、同一照射線量に対して、照射回数ｄａ１４及び実行パターンｄａ１５の組合せを複数登録することで、変更された照照射分割パターンｄａ１６を次回以降にも再利用できる。実施の形態４の治療計画システム６０（６０ｄ）は、変更した照射分割パターンｄａ１６の再利用によって、効率化を図ることができる。
【００４７】
実施の形態５．
実施の形態４では、照射分割パターン設定装置１から任意に決定した照射分割パターンｄａ１６（照射回数ｄａ１４及び実行パターンｄａ１５）を照射分割パターン管理装置２（２ｂ）に登録する方法について説明したが、放射線治療を行っている他施設や研究所などがホームページ上に公表する臨床結果を利用して照射分割パターン管理テーブル２０（４０）に登録することにより、実績のある治療(照射分割パターン、照射回数)を有効に活用できるようにする。これにより、自施設での臨床を省略あるいは臨床の効率化あるいは、照射分割パターン登録作業の効率化を図ることができる。
【００４８】
図９は、本発明の実施の形態５による照射分割パターン管理装置の動作を説明する図である。放射線治療を行っている他施設や研究所などは、臨床結果をホームページ上に公表する場合がある。また、ホームページ等に設定された機能を使用して臨床結果を共有できるようにする場合もある。実施の形態５による照射分割パターン管理装置２（２ｃ）は、インターネット１０経由で利用可能になった臨床結果から、照射分割パターン管理テーブル２０（４０）に登録する内容、すなわち、治療部位ｄａ１２、照射線量ｄａ１３、実行パターンｄａ１５、照射回数ｄａ１４をインターネット１０経由で取得し、照射分割パターン管理テーブル２０（４０）に登録する機能を具備する。実施の形態５の治療計画システム６０（６０ｅ）は、図１の構成において、照射分割パターン管理装置２は照射分割パターン管理装置２ｃである。
【００４９】
照射分割パターン管理装置２（２ｃ）は、施設設定部１５１と、照射分割パターン情報取得要求部１５２と、ホームページ解析部１５３と、照射分割パターン情報生成部１５４と、照射分割パターン情報表示処理部１５５と、照射分割パターン情報登録部１５６と、パターン検索部１１１と、パターン送信部１１２と、を備える。パターン検索部１１１及びパターン送信部１１２は、検索処理部１５７を構成する。施設設定部１５１、照射分割パターン情報取得要求部１５２、ホームページ解析部１５３、及び照射分割パターン情報生成部１５４は、解析生成処理部１５８を構成する。照射分割パターン情報表示処理部１５５及び照射分割パターン情報登録部１５６は、表示登録処理部１５９を構成する。照射分割パターン管理装置２（２ｃ）は、インターネット１０に接続された複数の施設５１ａ、５１ｂや複数の研究所５２ａ、５２ｂから照射分割パターン管理テーブル２０（４０）に登録する内容を取得する。
【００５０】
解析生成処理部１５８の動作を説明する。施設設定部１５１は、ユーザの操作により、情報を取得する施設を指定する。照射分割パターン情報取得要求部１５２は、施設設定部１５１により指定された施設に対して、照射分割パターン情報取得要求を行う。ホームページ解析部１５３は、該当施設のホームページにて閲覧可能になった情報ページの内容を解析する。照射分割パターン情報生成部１５４は、ホームページ解析部１５３により解析された結果を利用して、治療部位ｄａ１２及び照射線量ｄａ１３と、照射分割パターンｄａ１６の情報、すなわち、実行パターンｄａ１５及び照射回数ｄａ１４を抽出し、照射分割パターン管理装置２（２ｃ）において、治療部位ｄａ１２、照射線量ｄａ１３、実行パターンｄａ１５、照射回数ｄａ１４を生成する。
【００５１】
表示登録処理部１５９の動作を説明する。照射分割パターン情報表示処理部１５５は、照射分割パターン情報生成部１５４により生成された治療部位ｄａ１２、照射線量ｄａ１３、実行パターンｄａ１５、照射回数ｄａ１４を抽出し、照射分割パターン管理装置２（２ｃ）において、治療部位ｄａ１２、照射線量ｄａ１３、実行パターンｄａ１５、照射回数ｄａ１４を、モニターに表示する。例えば、治療部位ｄａ１２、照射線量ｄａ１３、実行パターンｄａ１５、照射回数ｄａ１４は、図５に示した設定画面５０のように表示される。閲覧可能になった情報ページの内容から実行パターンｄａ１５が抽出できない場合は、実行パターン設定部２６に○印は表示されない。ユーザは照射分割パターン情報表示処理部１５５により表示された照射分割パターンｄａ１６の情報を確認する。この内容を登録する場合、照射分割パターン情報登録部１５６は、照射分割パターン管理装置２（２ｃ）の照射分割パターン管理テーブル２０（４０）に、照射分割パターンｄａ１６の情報を登録する。
【００５２】
検索処理部１５７は、実施の形態１乃至４に示した照射分割パターン管理装置２（２ａ）の構成と同じであり、検索処理部１５７の動作も照射分割パターン管理装置２（２ａ）と同じである。
【００５３】
実施の形態５の照射分割パターン管理装置２（２ｃ）は、インターネット１０経由で利用可能になった臨床結果から、照射分割パターン管理テーブル２０（４０）に登録する内容、すなわち、治療部位ｄａ１２、照射線量ｄａ１３、実行パターンｄａ１５、照射回数ｄａ１４をインターネット１０経由で取得し、照射分割パターン管理テーブル２０（４０）に登録することができる。これにより、自施設での臨床を省略あるいは臨床の効率化あるいは、照射分割パターン登録作業の効率化を図ることができる。
【００５４】
実施の形態６．
実施の形態４では、照射分割パターン設定装置１で任意に設定した照照射分割パターンｄａ１６（照射回数ｄａ１４及び実行パターンｄａ１５）を照射分割パターン管理装置２（２ｂ）に登録する場合について述べたが、臨床時には、治療途中の経過観察などにより照射分割パターンｄａ１６（照射回数ｄａ１４及び実行パターンｄａ１５）を変更する(
見直す)ケースも考えられる。実施の形態６では、データ管理装置５に登録された治療の
実施記録から照射分割パターンｄａ１６（照射回数ｄａ１４及び実行パターンｄａ１５）を取得し、照射分割パターン管理テーブル２０（４０）に登録する機能を照射分割パターン管理装置２（２ｄ）に具備することで、照射分割パターン管理テーブル２０（４０）への登録の効率化を図ることができる。
【００５５】
図１０は、本発明の実施の形態６による照射分割パターン管理装置の動作を説明する図である。実施の形態６の照射分割パターン管理装置２（２ｄ）は、対象指定部１６１と、実施記録取得要求部１６２と、データ取得抽出部１６３と、照射分割パターン抽出部１６４と、表示登録処理部１５９と、検索処理部１５７と、を備える。対象指定部１６１、実施記録取得要求部１６２、データ取得抽出部１６３、及び照射分割パターン抽出部１６４は、抽出生成処理部１６５を構成する。実施の形態６の治療計画システム６０（６０ｆ）は、図１の構成において、照射分割パターン管理装置２は照射分割パターン管理装置２ｄであり、データ管理装置５はデータ管理装置５ｃである。
【００５６】
実施の形態６のデータ管理装置５（５ｃ）は、治療計画検索部１２５と、実施記録検索部１２６と、データ送信部１２７と、情報検索部１０９と、情報送信部１１０と、治療計画登録部１０８と、を備える。治療計画検索部１２５、実施記録検索部１２６、及びデータ送信部１２７は、検索処理部１２８を構成する。実施の形態６のデータ管理装置５（５ｃ）は、データ管理装置５ｂとは、検索処理部１２８が追加された点で異なる。
【００５７】
照射分割パターン管理装置２（２ｄ）の抽出生成処理部１６５、及びデータ管理装置５（５ｃ）の検索処理部１２８の動作を説明する。対象指定部１６１は、ユーザの操作により、情報を取得する患者及び治療計画を指定する。実施記録取得要求部１６２は、対象指定部１６１により指定された患者及び治療計画に対する検索キーデータｄａｔａ７である患者ＩＤ及び治療計画のＵＩＤを選択し、データ管理装置５（５ｃ）に実施記録取得要求を行う。
【００５８】
データ管理装置５（５ｃ）は、検索キーデータｄａｔａ７を照射分割パターン管理装置２（２ｄ）から受信する。治療計画検索部１２５は、受信した検索キーデータｄａｔａ７の患者ＩＤ及び治療計画のＵＩＤをキーにして、該当する治療計画ＰＬ１を検索する。実施記録検索部１２６は、治療計画ＰＬ１に基づいて治療が実施された実施記録ＲＥ１を検索する。データ送信部１２７は、検索された実施記録ＲＥ１と治療計画ＰＬ１を、結果データｄａｔａ８として照射分割パターン管理装置２（２ｄ）に送信する。実施記録ＲＥ１は、複数の治療が実施されている場合には、複数の実施記録が含まれている。
【００５９】
照射分割パターン管理装置２（２ｄ）は、結果データｄａｔａ８を受信する。データ取得抽出部１６３は、治療計画ＰＬ１から、治療部位ｄａ１２、照射線量ｄａ１３を抽出する。照射分割パターン抽出部１６４は、照射分割パターンｄａ１６の情報、すなわち、実行パターンｄａ１５及び照射回数ｄａ１４を抽出する。
【００６０】
表示登録処理部１５９は、抽出生成処理部１６５により抽出された治療部位ｄａ１２、照射線量ｄａ１３、実行パターンｄａ１５、及び照射回数ｄａ１４を、モニターに表示する。例えば、治療部位ｄａ１２、照射線量ｄａ１３、実行パターンｄａ１５、照射回数ｄａ１４は、図５に示した設定画面５０のように表示される。ユーザは照射分割パターン情報表示処理部１５５により表示された照射分割パターンｄａ１６の情報を確認する。この内容を登録する場合、照射分割パターン情報登録部１５６は、照射分割パターン管理装置２（２ｄ）の照射分割パターン管理テーブル２０（４０）に、照射分割パターンｄａ１６の情報を登録する。
【００６１】
実施の形態６の照射分割パターン管理装置２（２ｄ）は、データ管理装置５（５ｃ）に登録された治療の実施記録から照射分割パターンｄａ１６（照射回数ｄａ１４及び実行パターンｄａ１５）を取得し、照射分割パターン管理テーブル２０（４０）に登録することができる。照射分割パターン管理テーブル２０（４０）への登録の効率化を図ることができる。
【００６２】
なお、照射分割パターン設定装置１、照射分割パターン管理装置２、治療計画装置３、輪郭作成装置４、データ管理装置５は、それぞれ、ＣＰＵやメモリを備え、ソフトウエアにより処理が実行されるようにしてもよい。また、実施の形態１乃至６の内容は、矛盾しない範囲で相互に適用することができる。
【符号の説明】
【００６３】
１ａ、１ｂ、１ｃ、１ｄ…照射分割パターン設定装置、２、２ａ、２ｂ、２ｃ、２ｄ…照射分割パターン管理装置、５、５ａ、５ｂ、５ｃ…データ管理装置、１０…インターネット、１７…デフォルト欄、２０…照射分割パターン管理テーブル、４０…照射分割パターン管理テーブル、６０、６０ａ、６０ｂ、６０ｃ、６０ｄ、６０ｅ、６０ｆ…治療計画システム、１０７…治療計画出力部、１２１、１２１ａ、１２１ｂ…計画情報設定部、１２２、１２２ａ、１２２ｂ…照射計画設定部、１３２…情報取得要求部、１３５…照射分割パターン変更部、１３６…照射分割パターン出力部、１５８…解析生成処理部、１５９…表示登録処理部、１６５…抽出生成処理部、ｄａｔａ４…本治療計画、ｄａ１３…照射線量、ｄａ１４…照射回数、ｄａ１５…実行パターン、ｄａ１６…照射分割パターン。
【図１】
2012187298.tif 000003
【図２】
2012187298.tif 000004
【図３】
2012187298.tif 000005
【図４】
2012187298.tif 000006
【図５】
2012187298.tif 000007
【図６】
2012187298.tif 000008
【図７】
2012187298.tif 000009
【図８】
2012187298.tif 000010
【図９】
2012187298.tif 000011
【図１０】
2012187298.tif 000012